(57)【要約】リソース割り当て方法及び端末が提供される。この方法は、アクセスネットワーク装置により送られた上りリンクスケジューリンググラントを受信するステップであって、上りリンクスケジューリンググラントは、少なくとも１つの無線インターフェース技術に対応するトランスポートブロックを含む、ステップと、端末の論理チャネルから論理チャネルセットを選択するステップであって、論理チャネルセットは、送られるべきデータが存在し第１の無線インターフェース技術に対応する論理チャネルのセットであり、第１の無線インターフェース技術は、少なくとも１つの無線インターフェース技術、又は少なくとも１つの無線インターフェース技術のうちアクセスネットワーク装置により指定された無線インターフェース技術のいずれか１つである、ステップと、論理チャネルセット内の各論理チャネルのものであり、かつ第１の無線インターフェース技術に対応する優先度及び優先されたビットレートに基づいて、論理チャネルセットに対応する送られるべきデータを、第１の無線インターフェース技術に対応するトランスポートブロック上にマッピングするステップとを含む。本発明の実施形態の実装は、リソース割り当てバランスを改善することができる。
2020504476.tif 000002
【特許請求の範囲】
【請求項１】
リソース割り当て方法であって、前記方法は、端末に適用され、
アクセスネットワーク装置により送られた上りリンクスケジューリンググラントを受信するステップであって、前記上りリンクスケジューリンググラントは、少なくとも１つの無線インターフェース技術に対応するトランスポートブロックを含む、ステップと、
前記端末の論理チャネルから論理チャネルセットを選択するステップであって、前記論理チャネルセットは、送られるべきデータが存在し第１の無線インターフェース技術に対応する論理チャネルのセットであり、前記第１の無線インターフェース技術は、前記少なくとも１つの無線インターフェース技術、又は前記少なくとも１つの無線インターフェース技術のうち前記アクセスネットワーク装置により指定された無線インターフェース技術のいずれか１つである、ステップと、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングするステップと
を含むリソース割り当て方法。
【請求項２】
前記論理チャネルセットは、第１の論理チャネルサブセット及び第２の論理チャネルサブセットを含み、前記第１の論理チャネルサブセットの第１番の無線インターフェース技術は、前記第１の無線インターフェース技術であり、前記第２の論理チャネルサブセットの第２番の無線インターフェース技術は、前記第１の無線インターフェース技術であり、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップを含む請求項１に記載の方法。
【請求項３】
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするステップと、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップと
をさらに含む請求項２に記載の方法。
【請求項４】
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップと
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするステップと、
をさらに含む請求項２に記載の方法。
【請求項５】
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
第１の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップであって、前記第１の論理チャネルグループは、前記第２の論理チャネルサブセットにおける予め設定されたパラメータを有する論理チャネルのグループである、ステップと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするステップと、
第２の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップであって、前記第２の論理チャネルグループは、前記第２の論理チャネルサブセットにおける前記第１の論理チャネルグループに含まれる前記論理チャネル以外の論理チャネルのグループである、ステップと
をさらに含む請求項２に記載の方法。
【請求項６】
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記第２の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするステップをさらに含む請求項３〜５のいずれか一項に記載の方法。
【請求項７】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、前記第１の無線インターフェース技術の送信時間間隔は、前記第２の無線インターフェース技術の送信時間間隔よりも大きく、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするステップと、
前記第１の無線インターフェース技術に対応する前記トランスポートブロックを使用することによって送信されていた第１のデータが、前記第２の論理チャネルサブセットに対応する送られるべきデータにおいて存在し、前記アクセスネットワーク装置によって送られるメッセージであって前記第１のデータが成功裏に送信されたことを示すために使用されるメッセージが受信されないとき、前記第１のデータを、前記第２の無線インターフェース技術に対応するトランスポートブロック上にマッピングするステップと
を含む請求項１に記載の方法。
【請求項８】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングする前記ステップは、
前記アクセスネットワーク装置によって送られるメッセージであって、前記第２の論理チャネルサブセット上の第２のデータが前記第１の無線インターフェース技術に対応する前記トランスポートブロック上で送信されるのに失敗したことを示すために使用されるメッセージが、前記第２の無線インターフェース技術に対応するトランスポートブロックが送信される前に受信されたとき、前記第２のデータを、前記第２の無線インターフェース技術に対応する前記トランスポートブロック上にマッピングするステップを含む請求項１に記載の方法。
【請求項９】
端末であって、
アクセスネットワーク装置により送られた上りリンクスケジューリンググラントを受信するように構成される受信ユニットであって、前記上りリンクスケジューリンググラントは、少なくとも１つの無線インターフェース技術に対応するトランスポートブロックを含む、受信ユニットと、
前記端末の論理チャネルから論理チャネルセットを選択するように構成される選択ユニットであって、前記論理チャネルセットは、送られるべきデータが存在し第１の無線インターフェース技術に対応する論理チャネルのセットであり、前記第１の無線インターフェース技術は、前記少なくとも１つの無線インターフェース技術、又は前記少なくとも１つの無線インターフェース技術のうち前記アクセスネットワーク装置により指定された無線インターフェース技術のいずれか１つである、選択ユニットと、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応するトランスポートブロック上にマッピングするように構成されるマッピングユニットであって、前記論理チャネルセットは、前記選択ユニットによって選択される、マッピングユニットと
を備える端末。
【請求項１０】
前記論理チャネルセットは、第１の論理チャネルサブセット及び第２の論理チャネルサブセットを含み、前記第１の論理チャネルサブセットの第１番の無線インターフェース技術は、前記第１の無線インターフェース技術であり、前記第２の論理チャネルサブセットの第２番の無線インターフェース技術は、前記第１の無線インターフェース技術であり、
前記マッピングユニットは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第１のマッピングサブユニットを備える請求項９に記載の端末。
【請求項１１】
前記マッピングユニットは、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするように構成される第２のマッピングサブユニットと、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第３のマッピングサブユニットと
をさらに備える請求項１０に記載の端末。
【請求項１２】
前記マッピングユニットは、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第４のマッピングサブユニットと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするように構成される第５のマッピングサブユニットと
をさらに備える請求項１０に記載の端末。
【請求項１３】
前記マッピングユニットは、
第１の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第６のマッピングサブユニットであって、前記第１の論理チャネルグループは、前記第２の論理チャネルサブセットにおける予め設定されたパラメータを有する論理チャネルのグループである、第６のマッピングサブユニットと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングするように構成される第７のマッピングサブユニットと、
第２の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第８のマッピングサブユニットであって、前記第２の論理チャネルグループは、前記第２の論理チャネルサブセットにおける前記第１の論理チャネルグループに含まれる前記論理チャネル以外の論理チャネルのグループである、第８のマッピングサブユニットと
をさらに備える請求項１０に記載の端末。
【請求項１４】
前記マッピングユニットは、
前記第２の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記トランスポートブロック上にマッピングする第９のマッピングサブユニットをさらに備える請求項１１〜１３のいずれか一項に記載の端末。
【請求項１５】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、前記第１の無線インターフェース技術の送信時間間隔は、前記第２の無線インターフェース技術の送信時間間隔よりも大きく、
前記マッピングユニットは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記トランスポートブロック上にマッピングするように構成される第１０のマッピングサブユニットと、
前記第１の無線インターフェース技術に対応する前記トランスポートブロックを使用することによって送信されていた第１のデータが、前記第２の論理チャネルサブセットに対応する送られるべきデータにおいて存在し、前記アクセスネットワーク装置によって送られるメッセージであって前記第１のデータが成功裏に送信されたことを示すために使用されるメッセージが受信されないとき、前記第１のデータを、前記第２の無線インターフェース技術に対応するトランスポートブロック上にマッピングするように構成される第１１のマッピングサブユニットと
を備える請求項９に記載の端末。
【請求項１６】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、
前記マッピングユニットは、前記アクセスネットワーク装置によって送られるメッセージであって、前記第２の論理チャネルサブセット上の第２のデータが前記第１の無線インターフェース技術に対応する前記トランスポートブロック上で送信されるのに失敗したことを示すために使用されるメッセージが、前記第２の無線インターフェース技術に対応するトランスポートブロックが送信される前に受信されたとき、前記第２のデータを、前記第２の無線インターフェース技術に対応する前記トランスポートブロック上にマッピングするように特に構成される請求項９に記載の端末。
【発明の詳細な説明】
【技術分野】
【０００１】
本発明は、通信技術の分野に関し、特に、リソース割り当て方法及び端末に関する。
【背景技術】
【０００２】
無線インターフェース技術（Ｒａｄｉｏ  ｉｎｔｅｒｆａｃｅ  ｔｅｃｈｎｏｌｏｇｙ、ＲＩＴ）は、概して、例えばロングタームエボリューション（Ｌｏｎｇ  Ｔｅｒｍ  Ｅｖｏｌｕｔｉｏｎ、ＬＴＥ）技術のようなニューメロロジと呼ばれ、多元接続（ｍｕｌｔｉｐｌｅ  ａｃｃｅｓｓ）様式、変調及び符号化方式（Ｍｏｄｕｌａｔｉｏｎ  ａｎｄ  Ｃｏｄｉｎｇ  Ｓｃｈｅｍｅ、ＭＣＳ）、フレーム構造（ｆｒａｍｅ  ｓｔｒｕｃｔｕｒｅ）、物理チャネル（ｐｈｙｓｉｃａｌ  ｃｈａｎｎｅｌ）、トランスポートチャネル（ｔｒａｎｓｐｏｒｔ  ｃｈａｎｎｅｌ）、論理チャネル（Ｌｏｇｉｃａｌ  ｃｈａｎｎｅｌ、ＬＣＨ）、媒体アクセス制御（Ｍｅｄｉｕｍ  Ａｃｃｅｓｓ  Ｃｏｎｔｒｏｌ、ＭＡＣ）無線リンク制御（Ｒａｄｉｏ  Ｌｉｎｋ  Ｃｏｎｔｒｏｌ、ＲＬＣ）、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）、及び無線リソース制御（Ｒａｄｉｏ  Ｒｅｓｏｕｒｃｅ  Ｃｏｎｔｒｏｌ、ＲＲＣ）などを含みうる。
【０００３】
ＬＴＥシステムでは、端末が複数のサービス要件を有するので、アクセスネットワーク装置が端末に対して複数のＬＣＨを構成する。端末がデータをアクセスネットワーク装置に送信する必要があるとき、アクセスネットワーク装置は通信チャネルを端末に割り当てる。従って、送信されるべきデータが複数のＬＣＨ上に存在するとき、複数のＬＣＨ上のデータが通信チャネル上にマッピングされる必要がある。現在のところ、一般的なリソース割り当て方法では、優先度が各ＬＣＨに対して割り当てられて、高い優先度を有するＬＣＨ上のデータが先に通信チャネル上にマッピングされ、通信チャネルがいっぱいになるか又は送信される必要があるデータがなくなるまで、それが続けられる。しかしながら、上記の様式では、高い優先度を有するＬＣＨが常に通信チャネルを占有するので、低い優先度を有するＬＣＨが占有するリソースがなく、そのためリソース割り当てバランスが低下する。
【発明の概要】
【０００４】
本発明の実施形態は、リソース割り当てバランスを改善するためのリソース割り当て方法及び端末を開示する。
【０００５】
第１の態様によれば、リソース割り当て方法が開示される。この方法は、端末に適用され、アクセスネットワーク装置により送られた上りリンクスケジューリンググラントであって、少なくとも１つの無線インターフェース技術に対応するトランスポートブロックを含む上りリンクスケジューリンググラントを受信するステップと、端末のＬＣＨから論理チャネルセットを選択するステップと、論理チャネルセット内の各ＬＣＨのものであり、かつ第１の無線インターフェース技術に対応する優先度及び優先されたビットレート（Ｐｒｉｏｒｉｔｉｚｅｄ  Ｂｉｔ  Ｒａｔｅ、ＰＢＲ）に基づいて、論理チャネルセットに対応する送られるべきデータを、第１の無線インターフェース技術に対応するトランスポートブロック上にマッピングするステップ、言い換えれば、論理チャネルセット内の各ＬＣＨの優先度に基づいて、各ＬＣＨ上のすべての送られるべきデータを、第１の無線インターフェース技術に対応するトランスポートブロック上に順次マッピングする代わりに、論理チャネルセット内の各ＬＣＨの優先度に基づいて、各ＬＣＨ上の送られるべきデータにおける第１の無線インターフェース技術に対応するＰＢＲを満たす一部のデータを、第１の無線インターフェース技術に対応するトランスポートブロック上に順次マッピングするステップとを含み、従って、低い優先度を有するＬＣＨ上のデータが送信される可能性が増大されて、リソース割り当てバランスを改善することができる。論理チャネルセットは、送られるべきデータが存在し第１の無線インターフェース技術に対応するＬＣＨのセットであり、第１の無線インターフェース技術は、少なくとも１つの無線インターフェース技術、又は少なくとも１つの無線インターフェース技術のうちアクセスネットワーク装置により指定された無線インターフェース技術、又は少なくとも１つの無線インターフェース技術のうち最も高い優先度を有する無線インターフェース技術のうちのいずれか１つである。
【０００６】
実施形態において、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第２の論理チャネルサブセット内の各ＬＣＨの第２番の無線インターフェース技術は、第１の無線インターフェース技術である。第１番の無線インターフェース技術として第１の無線インターフェース技術を使用するＬＣＨの優先度は、第２番の無線インターフェース技術として第１の無線インターフェース技術を使用するＬＣＨのそれよりも常に高いため、第１の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にまずマッピングされてよく、そうすることで、第１番の無線インターフェース技術として第１の無線インターフェース技術を使用するＬＣＨ上のリソース割り当てバランスを改善する。
【０００７】
実施形態において、上りリンクスケジューリンググラントは、少なくとも１つの無線インターフェース技術に対応するトランスポートブロックの容量及び送信時間をさらに含みうる。第１の容量が第２の容量よりも大きいとき、第１の論理チャネルサブセット内の各ＬＣＨ上の送られるべきデータが優先度及びＰＢＲに基づいてマッピングされた後、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされうる。次いで、第１の容量が第３の容量よりも大きいとき、言い換えれば、第１の無線インターフェース技術に対応するトランスポートブロックの容量が第１の論理チャネルサブセット内のすべてのＬＣＨ上の送られるべきデータの容量の合計よりも大きいとき、第２の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされてよく、そうすることで、第１番の無線インターフェース技術として第１の無線インターフェース技術を使用するＬＣＨ上のリソース割り当てバランスを改善しながら、無線リソース利用を確保する。第１の容量は、第１の無線インターフェース技術に対応するトランスポートブロックの容量であり、第２の容量は、第１の無線インターフェース技術の送信時間の時間長と、第１の論理チャネルサブセット内のすべてのＬＣＨの第１の無線インターフェース技術に対応するＰＢＲの合計との積であり、第３の容量は、第１の論理チャネルサブセット内のすべてのＬＣＨ上の送られるべきデータの容量の合計である。
【０００８】
実施形態において、上りリンクスケジューリンググラントは、少なくとも１つの無線インターフェース技術に対応するトランスポートブロックの容量及び送信時間をさらに含みうる。第１の容量が第２の容量よりも大きいとき、第２の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされうる。第１の容量が第４の容量よりも大きいとき、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされてよく、そうすることで、第１番の無線インターフェース技術として第１の無線インターフェース技術を使用するＬＣＨ上のリソース割り当てバランスを改善しながら、無線リソース利用を確保する。第４の容量は、第１の積と第２の容量との合計であり、第１の積は、第１の無線インターフェース技術の送信時間の時間長と、第２の論理チャネルサブセット内にあるすべてのＬＣＨの第１の無線インターフェース技術に対応するＰＢＲの合計との積である。
【０００９】
実施形態において、上りリンクスケジューリンググラントは、少なくとも１つの無線インターフェース技術に対応するトランスポートブロックの容量及び送信時間をさらに含みうる。第１の容量が第２の容量よりも大きいとき、第１の論理チャネルグループ内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされうる。次いで、第１の容量が第５の容量よりも大きいとき、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされうる。次いで、第１の容量が第６の容量よりも大きいとき、第２の論理チャネルグループ内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされてよく、そうすることで、第１番の無線インターフェース技術として第１の無線インターフェース技術を使用するＬＣＨ上のリソース割り当てバランスを改善しながら、無線リソース利用を確保する。第１の論理チャネルグループは、第２の論理チャネルサブセットにおける予め設定されたパラメータを有するＬＣＨのグループであり、第２の論理チャネルグループは、第２の論理チャネルサブセットにおける第１の論理チャネルグループに含まれるＬＣＨ以外のＬＣＨのグループである。第５の容量は、第２の容量と第２の積との合計であり、第２の積は、第１の無線インターフェース技術の送信時間の時間長と、第１の論理チャネルグループ内にあるすべてのＬＣＨの第１の無線インターフェース技術に対応するＰＢＲの合計との積であり、第６の容量は、第１の無線インターフェース技術の送信時間の時間長と、第２の論理チャネルサブセット内にあるすべてのＬＣＨの第１の無線インターフェース技術に対応するＰＢＲの合計との積である。
【００１０】
実施形態において、第１の容量が第７の容量よりも大きい、又は第１の容量が第８の容量よりも大きいとき、第２の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされてよく、そうすることで、無線リソース利用をさらに改善する。第７の容量は、第３の容量と第１の積との合計であり、第８の容量は、第３の容量と第６の容量との合計である。
【００１１】
実施形態において、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、第１の無線インターフェース技術の送信時間間隔（Ｔｒａｎｓｍｉｓｓｉｏｎ  Ｔｉｍｅ  Ｉｎｔｅｒｖａｌ、ＴＴＩ）は、第２の無線インターフェース技術のＴＴＩよりも大きい。第１の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされうる。第１の無線インターフェース技術に対応するトランスポートブロックを使用することによって送信されていた第１のデータが、第２の論理チャネルサブセットに対応する送られるべきデータにおいて存在し、アクセスネットワーク装置によって送られるメッセージであって第１のデータが成功裏に送信されたことを示すために使用されるメッセージが受信されないとき、第１のデータは、第２の無線インターフェース技術に対応するトランスポートブロック上にマッピングされうる。これは、比較的小さいＴＴＩを有するデータ送信の成功率を増大させることができる。
【００１２】
実施形態において、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術である。アクセスネットワーク装置によって送られるメッセージであって、第２の論理チャネルサブセット上の第２のデータが第１の無線インターフェース技術に対応するトランスポートブロック上で送信されるのに失敗したことを示すために使用されるメッセージが、第２の無線インターフェース技術に対応するトランスポートブロックが送信される前に受信されたとき、第２のデータは、第２の無線インターフェース技術に対応するトランスポートブロック上にマッピングされてよく、そうすることで、再送信される必要があるデータが、低レイテンシリソースを使用することによって送信されることを確実にし、従って、データ再送信効率が改善されることができる。
【００１３】
第２の態様によれば、端末が開示される。端末は、第１の態様又は第１の態様の任意の可能な実装で提供されるリソース割り当て方法を実行するように構成されるユニットを含む。
【００１４】
第３の態様によれば、端末が開示される。端末は、プロセッサ、メモリ、及びトランシーバを含み、
トランシーバは、アクセスネットワーク装置により送られた上りリンクスケジューリンググラントを受信するように構成され、上りリンクスケジューリンググラントは、少なくとも１つの無線インターフェース技術に対応するトランスポートブロックを含み、
メモリは、プログラムコードのセットを記憶し、プロセッサは、メモリに記憶されたプログラムコードを呼び出して、以下の動作を実行する、すなわち、
端末のＬＣＨから論理チャネルセットを選択し、論理チャネルセットは、送られるべきデータが存在し第１の無線インターフェース技術に対応するＬＣＨのセットであり、第１の無線インターフェース技術は、少なくとも１つの無線インターフェース技術、又は少なくとも１つの無線インターフェース技術のうちアクセスネットワーク装置により指定された無線インターフェース技術のいずれか１つであり、
論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングするように構成される。
【００１５】
第４の態様は、可読記憶媒体を開示する。可読記憶媒体は、第１の態様又は第１の態様の任意の可能な実装で提供されるリソース割り当て方法を実行するために端末によって使用されるプログラムコードを記憶する。
【図面の簡単な説明】
【００１６】
本発明の実施形態において技術的解決策をより明確に説明するために、実施形態を説明するために必要とされる添付の図面を以下で簡単に説明する。明らかに、以下の説明において添付の図面は本発明の一部の実施形態を示すに過ぎず、当業者は創作努力なしにこれらの添付の図面から他の図面を導き出しうる。
【００１７】
【図１】本発明の実施形態による、複数のＬＣＨを１つのトランスポートチャネルに多重化する概略図である。
【図２】本発明の実施形態によるネットワークアーキテクチャの概略図である。
【図３】本発明の実施形態によるリソース割り当て方法の概略流れ図である。
【図４】本発明の実施形態によるデータマッピング様式の概略図である。
【図５】本発明の実施形態による別のデータマッピング様式の概略図である。
【図６】本発明の実施形態によるさらに別のデータマッピング様式の概略図である。
【図７】本発明の実施形態による端末の概略構造図である。
【図８】本発明の実施形態による別の端末の概略構造図である。
【図９】本発明の実施形態によるさらに別の端末の概略構造図である。
【図１０】本発明の実施形態によるさらに別の端末の概略構造図である。
【図１１】本発明の実施形態によるさらに別の端末の概略構造図である。
【発明を実施するための形態】
【００１８】
以下では、本発明の実施形態において添付の図面を参照して本発明の実施形態における技術的解決策を明確かつ完全に説明する。明らかに、記載される実施形態は、本発明の実施形態のすべてではなく一部に過ぎない。創作努力なしに本発明の実施形態に基づいて当業者によって得られる他のすべての実施形態が、本発明の保護範囲内に入るものとする。
【００１９】
本発明の実施形態は、リソース割り当てバランスを改善するためのリソース割り当て方法及び端末を開示する。リソース割り当て方法及び端末は、以下で別々に詳細に説明される。
【００２０】
本発明の実施形態で開示されるリソース割り当て方法及び端末のより良い理解のために、本発明の実施形態における適用シナリオ及びいくつかの概念がまず下記に説明される。一般的な多元接続様式は、  時分割多元接続（Ｔｉｍｅ  Ｄｉｖｉｓｉｏｎ  Ｍｕｌｔｉｐｌｅ  Ａｃｃｅｓｓ、ＴＤＭＡ）、周波数分割多元接続（Ｆｒｅｑｕｅｎｃｙ  Ｄｉｖｉｓｉｏｎ  Ｍｕｌｔｉｐｌｅ  Ａｃｃｅｓｓ、ＦＤＭＡ）、符号分割多元接続（Ｃｏｄｅ  Ｄｉｖｉｓｉｏｎ  Ｍｕｌｔｉｐｌｅ  Ａｃｃｅｓｓ、ＣＤＭＡ）、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ、ＯＦＤＭＡ）、及びシングルキャリア周波数分割多元接続（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ、ＳＣ−ＦＤＭＡ）などの様式を含む。フレーム構造は一般に、物理レイヤで送信されたフォーマット及び対応するパラメータを指す。異なるワイヤレス通信システムは通常、それぞれのワイヤレス通信システムに固有のフレーム構造設計を使用する。例えば、第３世代パートナーシッププロジェクト（３ｒｄ  Ｇｅｎｅｒａｔｉｏｎ  Ｐａｒｔｎｅｒｓｈｉｐ  Ｐｒｏｊｅｃｔ、３ＧＰＰ）ＬＴＥシステムのフレーム構造は、周波数分割多重化（Ｆｒｅｑｕｅｎｃｙ  Ｄｉｖｉｓｉｏｎ  Ｍｕｌｔｉｐｌｅｘｉｎｇ、ＦＤＭ）に使用されるタイプＩ（Ｔｙｐｅ  Ｉ）フレーム構造、及び時分割多重化（Ｔｉｍｅ  Ｄｉｖｉｓｉｏｎ  Ｍｕｌｔｉｐｌｅｘｉｎｇ、ＴＤＭ）に使用されるタイプＩＩ（Ｔｙｐｅ  ＩＩ）フレーム構造を含む。２つのタイプのフレーム構造は各々が、１ｍｓの長さを有する１０個のサブフレーム（ｓｕｂｆｒａｍｅ）を含む。タイプＩＩフレーム構造とタイプＩフレーム構造との間の主な違いは、タイプＩＩフレーム構造には特別なサブフレームが導入されていることである。特別なサブフレームは、３つの特別なタイムスロット、すなわち、下りリンクパイロットタイムスロット（Ｄｏｗｎｌｉｎｋ  Ｐｉｌｏｔ  ＴｉｍｅＳｌｏｔ、ＤｗＰＴＳ）、ガード期間（Ｇｕａｒｄ  Ｐｅｒｉｏｄ、ＧＰ）、及び上りリンクパイロットタイムスロット（Ｕｐｌｉｎｋ  Ｐｉｌｏｔ  ＴｉｍｅＳｌｏｔ、ＵｐＰＴＳ）を含む。ＤｗＰＴＳは常に下りリンク送信に使用される。ＵｐＰＴＳは常に上りリンク送信に使用される。ＧＰは、下りリンクから上りリンクに切り替えるためのガードインターバルである。タイプＩフレーム構造におけるサブフレームは、異なる周波数範囲に基づいて、下りリンクサブフレームと上りリンクサブフレームに分類され、下りリンクサブフレームと上りリンクサブフレームの両方が、任意のＴＴＩで使用されることができる。タイプＩＩフレーム構造におけるサブフレームは、上りリンクサブフレームと下りリンクサブフレームに分類され、下りリンクサブフレームと上りリンクサブフレームの両方が、任意のＴＴＩで使用されることができる。１つのＴＴＩの時間長は、１つのサブフレームの時間長に等しい。
【００２１】
１つのキャリア上で、ＬＴＥシステムは通常は１つのみの無線インターフェース技術をサポートし、例えば、単一の多元接続様式をサポートし、又は単一のフレーム構造をサポートする。キャリア上の同じ無線インターフェース技術は、様々なサービス品質（Ｑｕａｌｉｔｙ  ｏｆ  Ｓｅｒｖｉｃｅ、ＱｏＳ）を有するサービスをサポートし、例えば、保証されたビットレート（Ｇｕａｒａｎｔｅｅｄ  Ｂｉｔ  Ｒａｔｅ、ＧＢＲ）サービス、及び保証されていないビットレート（Ｎｏｎ−ＧＢＲ）サービスをサポートする。同じキャリア上で使用される同じ無線インターフェース技術は、モバイルブロードバンド（Ｍｏｂｉｌｅ  ＢｒｏａｄＢａｎｄ、ＭＢＢ）サービス、及びマシンツーマシン（Ｍａｃｈｉｎｅ−ｔｏ−Ｍａｃｈｉｎｅ、Ｍ２Ｍ）通信をサポートする。いくつかの最適化されたソリューションがＭ２Ｍ通信に使用されうる。例えば、拡張されたアクセス制限（Ｅｘｔｅｎｄｅｄ  Ａｃｃｅｓｓ  Ｂａｒｒｉｎｇ、ＥＡＢ）メカニズムが遅延耐性Ｍ２Ｍサービスに導入され、従って、ネットワークが輻輳又は過負荷にされたとき、いくつかのＭ２Ｍ端末が一時的にネットワークにアクセスしないようにされる。
【００２２】
ＬＴＥシステムでは、アクセスネットワーク装置は、複数のサービス要件に基づいて端末に対して少なくとも１つのＬＣＨを構成する。各ＬＣＨは、１つのサービスのサービス品質（ＱｏＳ）要件に対応する。例えば、端末がインターネットアクセスサービス及びボイスオーバーＬＴＥ（Ｖｏｉｃｅ  ｏｖｅｒ  ＬＴＥ、ＶｏＬＴＥ）サービスを必要とする場合、端末に対して２つの異なるＬＣＨが構成されて、処理のためにＰＤＣＰレイヤ及びＲＬＣレイヤにおいて独立したエンティティ（ｅｎｔｉｔｙ）を別個に確立する。ＭＡＣレイヤは、複数の論理チャネルを同じトランスポートチャネルに多重化することを担う。端末は、各キャリアの各ＴＴＩにおいて１つのみのＭＡＣプロトコルデータユニット（Ｐｒｏｔｏｃｏｌ  Ｄａｔａ  Ｕｎｉｔ、ＰＤＵ）を送ることができる。
【００２３】
端末の上りリンクデータ送信は、アクセスネットワーク装置によって制御される。無線リソース割り当てメカニズムは主として以下の通りである。端末は、スケジューリング要求（Ｓｃｈｅｄｕｌｉｎｇ  Ｒｅｑｕｅｓｔ）及びバッファステータスレポート（Ｂｕｆｆｅｒ  Ｓｔａｔｕｓ  Ｒｅｐｏｒｔ）を使用することによって、送られるべき上りリンクデータを端末が有することをアクセスネットワーク装置に通知して、上りリンクスケジューリンググラントを取得し、次いで、論理チャネル優先順位付け（Ｌｏｇｉｃａｌ  ｃｈａｎｎｅｌ  Ｐｒｉｏｒｉｔｉｚａｔｉｏｎ、ＬＣＰ）処理を開始しうる。アクセスネットワーク装置は、上りリンクスケジューリンググラントを対応する端末に送る。上りリンクスケジューリンググラントは、端末によって使用される無線リソースの位置、変調及び符号化方式、ならびに送信されるべきデータの量を示すために使用される。端末が新しい上りリンクデータ送信を開始する必要があることを示す上りリンクスケジューリンググラントを端末が受信したとき、端末は、複数のＬＣＨからＲＬＣ  ＰＤＵを同じＭＡＣ  ＰＤＵ内に追加する必要がある。この場合、ＭＡＣ多重化及びＬＣＰ処理が必要とされる。図１は、本発明の実施形態による、複数のＬＣＨを１つのトランスポートチャネルに多重化する概略図である。図１に示されるように、複数のＬＣＨが同じトランスポートチャネルに多重化されうる。
【００２４】
しかしながら、ＭＡＣ  ＰＤＵは１つだけあるが、複数のＬＣＨが多重化される必要がある。従って、優先度（ｐｒｉｏｒｉｔｙ）が各ＬＣＨに割り当てられる。まず、最も高い優先度を有するＬＣＨ上のデータがＭＡＣ  ＰＤＵに含められ、次いで、２番目に高い優先度を有するＬＣＨ上のデータがＭＡＣ  ＰＤＵに含められ、割り当てられるＭＡＣ  ＰＤＵがいっぱいになるか又は送られる必要があるデータがなくなるまで、同様にデータが含められる。各ＬＣＨの優先度は、ＲＲＣメッセージにおける情報要素（Ｉｎｆｏｒｍａｔｉｏｎ  Ｅｌｅｍｅｎｔ、ＩＥ）の論理チャネル構成（ＬｏｇｉｃａｌＣｈａｎｎｅｌＣｏｎｆｉｇ）の優先度フィールドを使用することによって、ＲＲＣレイヤにおいて決定され、より小さい値は、より高い優先度を示す。しかしながら、そのような割り当て様式では、高い優先度を有するＬＣＨが、端末に対しｅＮｏｄｅＢにより割り当てられる無線リソースを常に占有しうるので、結果として、低い優先度を有するＬＣＨは占有するリソースを有しない。
【００２５】
上記のケースを回避するために、ＰＢＲ概念がＬＴＥシステムに導入される。具体的には、リソースがＬＣＨに割り当てられる前に、ＬＣＨのデータレートが構成され、そうすることで、ＬＣＨごとの最小データレートを確保し、低い優先度を有するＬＣＨが占有するリソースを有しないケースを回避するようにする。ＰＢＲは、ＬＣＨ構成のＰＢＲフィールドを使用することによって決定される。
【００２６】
ＱｏＳ要件及び／又は無線状態要件が大きく異なる様々なサービスを同じキャリア上でサポートするために、５Ｇシステムでは、アクセスネットワーク装置及び端末の各々が、ＦＤＭ又はＴＤＭを介して連続スペクトル又は複数のキャリア（ｃａｒｒｉｅｒ）上で少なくとも１つの無線インターフェース技術を使用可能であることが提案されている。例えば、端末は、長いＴＴＩ（１ｍｓ）と短いＴＴＩ（０．２ｍｓ）の両方をサポートしうる。長いＴＴＩは、広帯域幅及び高レート要件を有するサービスに主に使用される。短いＴＴＩは、比較的厳しいレイテンシ要件を有するサービスに主に使用されうる。
【００２７】
５Ｇシステムでは、ＬＣＨは、少なくとも１つの無線インターフェース技術に対して柔軟にマッピングされてよく、少なくとも１つのＬＣＨが、同じキャリア又は異なるキャリアに配置されてよく、協調された動作が、キャリアアグリゲーション（Ｃａｒｒｉｅｒ  Ａｇｇｒｅｇａｔｉｏｎ、ＣＡ）又はデュアル接続性（Ｄｕａｌ  Ｃｏｎｎｅｃｔｉｖｉｔｙ、ＤＣ）様式で実行される。アクセスネットワーク装置が、上りリンク／下りリンクＬＣＨと無線インターフェース技術との間のマッピング関係を決定することができるため、新しい課題が、既存のＭＡＣレイヤのＬＣＰ処理などの関係付けられた機能にもたらされる。端末により受信された上りリンクスケジューリンググラントが新しいデータ送信を示すとき、上りリンクスケジューリンググラントは、端末によりデータを送るために使用される必要がある無線インターフェース技術を示しうる。ＬＣＨが複数の無線インターフェース技術にマッピングされうるとき、既存の無線リソース割り当て技術は、そのようなシナリオにおける無線リソース割り当ての問題を解決することができない。
【００２８】
本発明の実施形態で開示されるリソース割り当て方法及び端末のより良い理解のために、本発明の実施形態で使用されるネットワークアーキテクチャがまず下記に説明される。図２は、本発明の実施形態によるネットワークアーキテクチャの概略図である。図２に示されるように、ネットワークアーキテクチャは、少なくとも１つの無線アクセスネットワーク装置２０１及び端末２０２を含みうる。端末２０２は、無線アクセスネットワーク装置２０１により提供される少なくとも１つのセル（ｃａｒｒｉｅｒ）のカバレッジエリア内に配置される。端末２０２が、無線アクセスネットワーク装置２０１により提供される少なくとも２つのセル（ｃａｒｒｉｅｒ）のカバレッジエリア内に配置されたとき、言い換えれば、複数のセルが端末２０２にサービスするとき、端末２０２は、ＣＡ、ＤＣ、又は協調マルチポイント送信／受信（Ｃｏｏｒｄｉｎａｔｅｄ  Ｍｕｌｔｉｐｌｅ  Ｐｏｉｎｔ  ｔｒａｎｓｍｉｓｓｉｏｎ、ＣｏＭＰ）様式で動作しうる。少なくとも１つのセルは、少なくとも１つの無線インターフェース技術を提供し、各無線インターフェース技術が端末２０２に対する無線リソースを提供する。端末２０２は、無線リソース要求を無線アクセスネットワーク装置２０１に送るように構成される。アクセスネットワーク装置２０１は、上りリンクスケジューリンググラントを端末２０２に送るように構成される。端末２０２は、無線アクセスネットワーク装置２０１により割り当てられた無線リソースに基づいて、無線アクセスネットワーク装置２０１にデータを送信するようにさらに構成される。無線アクセスネットワーク装置２０１は、基地局、進化型ＮｏｄｅＢ（Ｅｖｏｌｖｅｄ  ＮｏｄｅＢ、ｅＮＢ）、又はアクセスポイント（Ａｃｃｅｓｓ  Ｐｏｉｎｔ、ＡＰ）などであってよい。端末２０２は、モバイル端末、又はネットワークアクセス機能を有するセンサなどであってよい。本発明は、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ＣＤＭＡシステムワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）、又は将来の５Ｇ（ｔｈｅ  ｆｉｆｔｈ  ｇｅｎｅｒａｔｉｏｎ）ワイヤレス通信システムなどにも適用可能である。
【００２９】
図２に示されるネットワークアーキテクチャに基づいて、図３は、本発明の実施形態によるリソース割り当て方法の概略流れ図である。図３に示されるリソース割り当て方法は、無線アクセスネットワーク装置２０１及び端末２０２の観点から説明される。図３に示されるように、リソース割り当て方法は以下のステップを含みうる。
【００３０】
３０１．  端末は、無線リソース要求を無線アクセスネットワーク装置に送る。
【００３１】
この実施形態では、上りリンクデータ送信はアクセスネットワーク装置によって制御され、端末が送られるべきデータを有するとき、端末は、無線リソース要求を無線アクセスネットワーク装置に送って、上りリンクデータを送信するのに使用される無線リソースを、アクセスネットワーク装置から要求する。
【００３２】
３０２．  無線アクセスネットワーク装置は、上りリンクスケジューリンググラントを端末に送る。
【００３３】
この実施形態では、端末により送られた無線リソース要求を受信した後、無線アクセスネットワーク装置が無線リソースを端末に割り当て、割り当てられた無線リソースは、上りリンクスケジューリンググラントを使用することによって端末に送られる。無線リソースは、少なくとも１つの無線インターフェース技術に対応するトランスポートブロックを含みうる。少なくとも１つの無線インターフェース技術は、端末が現在配置されているセルにより提供されることができる全部又は一部の無線インターフェース技術である。
【００３４】
３０３．  端末は、端末の論理チャネルから論理チャネルセットを選択する。
【００３５】
この実施形態では、無線アクセスネットワーク装置が、端末に対して２つ以上のＬＣＨを構成し、異なるＬＣＨが、同じ無線インターフェース技術又は異なる無線インターフェース技術に対応してよく、１つの無線インターフェース技術に対応するトランスポートブロックを使用することによっては、端末のすべてのＬＣＨにおけるデータは送信されることができない。従って、端末はまず、端末のＬＣＨから論理チャネルセットを選択する必要がある。論理チャネルセットは、送られるべきデータが存在し第１の無線インターフェース技術に対応するＬＣＨのセットであり、すなわち、送られるべきデータが存在し、第１の無線インターフェース技術に対応するトランスポートブロックを使用することによって送られるべきデータが送信されることができるＬＣＨのセットである。第１の無線インターフェース技術は、少なくとも１つの無線インターフェース技術から端末によって選択された任意の無線インターフェース技術であってよく、又は、少なくとも１つの無線インターフェース技術のうちアクセスネットワーク装置により指定された無線インターフェース技術であってよく、又は、少なくとも１つの無線インターフェース技術のうち最も高い優先度を有する無線インターフェース技術であってよい。
【００３６】
３０４．  端末は、論理チャネルセット内の各ＬＣＨのものであり、かつ第１の無線インターフェース技術に対応する優先度及びＰＢＲに基づいて、第１の無線インターフェース技術に対応するトランスポートブロック上へ、論理チャネルセットに対応する送られるべきデータをマッピングする。
【００３７】
この実施形態では、同じＬＣＨが、異なる無線インターフェース技術で異なる優先度を有しうるので、端末が端末のＬＣＨから論理チャネルセットを選択した後、端末は、論理チャネルセット内の各ＬＣＨのものであり、かつ第１の無線インターフェース技術に対応する優先度及びＰＢＲに基づいて、論理チャネルセット内の各ＬＣＨ上の送られるべきデータを、第１の無線インターフェース技術に対応するトランスポートブロック上にマッピングする。
【００３８】
例えば、アクセスネットワーク装置は、端末のための論理チャネル：ＬＣＨ１、ＬＣＨ２、ＬＣＨ３、ＬＣＨ４、ＬＣＨ５、及びＬＣＨ６を構成する。ＬＣＨ１、ＬＣＨ２、及びＬＣＨ３は、データを送信するために第１の無線インターフェース技術に対応するトランスポートブロックを使用することができるが、データを送信するために第２の無線インターフェース技術に対応するトランスポートブロックを使用することができない。ＬＣＨ４、ＬＣＨ５、及びＬＣＨ６は、データを送信するために第２の無線インターフェース技術に対応するトランスポートブロックを使用することができるが、データを送信するために第１の無線インターフェース技術に対応するトランスポートブロックを使用することができない。ＬＣＨ１、ＬＣＨ２、及びＬＣＨ３のものであり、かつ第１の無線インターフェース技術に対応する優先度は、ＬＣＨ１＞ＬＣＨ２＞ＬＣＨ３を満たす。ＬＣＨ４、ＬＣＨ５、及びＬＣＨ６のものであり、かつ第２の無線インターフェース技術に対応する優先度は、ＬＣＨ４＞ＬＣＨ５＞ＬＣＨ６を満たす。端末は、ＬＣＨ１、ＬＣＨ２、及びＬＣＨ３のものであり、かつ第１の無線インターフェース技術に対応する優先度、ならびにＬＣＨ１、ＬＣＨ２、及びＬＣＨ３のものであり、かつ第１の無線インターフェース技術に対応するＰＢＲに基づいて、ＬＣＨ１、ＬＣＨ２、及びＬＣＨ３上の送られるべきデータを、第１の無線インターフェース技術に対応するトランスポートブロックにマッピングしうる。例えば、第１の無線インターフェース技術に対応するトランスポートブロックの送信時間の時間長が、Ｔであり、ＬＣＨ１、ＬＣＨ２、及びＬＣＨ３のものであり、かつ第１の無線インターフェース技術に対応するＰＢＲがそれぞれ、ＰＢＲ１、ＰＢＲ２、及びＰＢＲ３であるとき、ＬＣＨ１上の送られるべきデータにおけるＰＢＲ１＊Ｔ容量を有する一部のデータが、第１の無線インターフェース技術に対応するトランスポートブロック上にまずマッピングされうる。次いで、第１の無線インターフェース技術に対応するトランスポートブロックが依然として残りの容量を有するとき、ＬＣＨ２上の送られるべきデータにおけるＰＢＲ２＊Ｔ容量を有する一部のデータが、第１の無線インターフェース技術に対応するトランスポートブロック上にマッピングされる。次いで、第１の無線インターフェース技術に対応するトランスポートブロックが依然として残りの容量を有するとき、ＬＣＨ３上の送られるべきデータにおけるＰＢＲ３＊Ｔ容量を有する一部のデータが、第１の無線インターフェース技術に対応するトランスポートブロック上にマッピングされる。
【００３９】
この実施形態では、論理チャネルセットは、第１の論理チャネルサブセット及び第２の論理チャネルサブセットを含んでよく、第１の論理チャネルサブセットの第１番の無線インターフェース技術は、第１の無線インターフェース技術であり、第２の論理チャネルサブセットの第２番の無線インターフェース技術は、第１の無線インターフェース技術である。第１番の無線インターフェース技術に対応するＬＣＨの優先度は、第２番の無線インターフェース技術に対応するＬＣＨの優先度よりも常に高いため、第１の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にまずマッピングされうる。第１の無線インターフェース技術に対応するトランスポートブロックが依然として残りの容量を有するとき、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされてよく、次いで、第１の無線インターフェース技術に対応するトランスポートブロックが依然として残りの容量を有するとき、第２の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされる。或いは、第２の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされてよく、第１の無線インターフェース技術に対応するトランスポートブロックが依然として残りの容量を有するとき、次いで、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされる。或いは、第１の論理チャネルグループ内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされてよく、第１の無線インターフェース技術に対応するトランスポートブロックが依然として残りの容量を有するとき、次いで、第１の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされ、さらに、第１の無線インターフェース技術に対応するトランスポートブロックが依然として残りの容量を有するとき、第２の論理チャネルグループ内の各ＬＣＨ上の残りの送られるべきデータが、ＬＣＨのものであり、かつ第１の無線インターフェース技術に対応する優先度及びＰＢＲに基づいて、第１の無線インターフェース技術に対応するトランスポートブロック上にマッピングされる。最後に、第１の無線インターフェース技術に対応するトランスポートブロックが依然として残りの容量を有するとき、次いで、第２の論理チャネルサブセット内で残りの送られるべきデータが存在する各ＬＣＨ上の残りの送られるべきデータが、各ＬＣＨのものであり、かつ第１の無線インターフェース技術に対応する優先度に基づいて、第１の無線インターフェース技術に対応するトランスポートブロック上にマッピングされる。第１の論理チャネルグループは、第２の論理チャネルサブセットにおける予め設定されたパラメータを有するＬＣＨのグループである。第２の論理チャネルグループは、第２の論理チャネルサブセットにおける第１の論理チャネルグループに含まれるＬＣＨ以外のＬＣＨのグループである。
【００４０】
例えば、第１の論理チャネルサブセットは、論理チャネル：ＬＣＨ１、ＬＣＨ２、及びＬＣＨ３を含み、第２の論理チャネルサブセットは、論理チャネル：ＬＣＨ４、ＬＣＨ５、及びＬＣＨ６を含む。端末はまず、ＬＣＨ１、ＬＣＨ２、及びＬＣＨ３のものであり、かつ第１の無線インターフェース技術に対応する優先度ＬＣＨ１＞ＬＣＨ２＞ＬＣＨ３及びＰＢＲに基づいて、ＬＣＨ１、ＬＣＨ２、及びＬＣＨ３上のデータを、上りリンクリソース上にマッピングする。残りの上りリンクリソースが依然としてあるとき、端末は、優先度ＬＣＨ１＞ＬＣＨ２＞ＬＣＨ３に基づいて、ＬＣＨ１、ＬＣＨ２、及びＬＣＨ３上の残りの送られるべきデータを、上りリンクリソース上にマッピングしうる。残りの上りリンクリソースが依然としてあるとき、次いで、端末は、ＬＣＨ４、ＬＣＨ５、及びＬＣＨ６のものであり、かつ第１の無線インターフェース技術に対応する優先度ＬＣＨ４＞ＬＣＨ５＞ＬＣＨ６及びＰＢＲに基づいて、ＬＣＨ４、ＬＣＨ５、及びＬＣＨ６上のデータを、上りリンクリソース上にマッピングする。残りの上りリンクリソースが依然としてあるとき、次いで、端末は、優先度ＬＣＨ４＞ＬＣＨ５＞ＬＣＨ６に基づいて、ＬＣＨ４、ＬＣＨ５、及びＬＣＨ６上の残りの送られるべきデータを、上りリンクリソース上にマッピングする。
【００４１】
例えば、第１の論理チャネルサブセットは、論理チャネル：ＬＣＨ１、ＬＣＨ２、及びＬＣＨ３を含み、第２の論理チャネルサブセットは、論理チャネル：ＬＣＨ４、ＬＣＨ５、及びＬＣＨ６を含む。端末はまず、ＬＣＨ１、ＬＣＨ２、及びＬＣＨ３のものであり、かつ第１の無線インターフェース技術に対応する優先度ＬＣＨ１＞ＬＣＨ２＞ＬＣＨ３及びＰＢＲに基づいて、ＬＣＨ１、ＬＣＨ２、及びＬＣＨ３上のデータを、上りリンクリソース上にマッピングする。残りの上りリンクリソースが依然としてあるとき、端末は、ＬＣＨ４、ＬＣＨ５、及びＬＣＨ６のものであり、かつ第１の無線インターフェース技術に対応する優先度ＬＣＨ４＞ＬＣＨ５＞ＬＣＨ６及びＰＢＲに基づいて、ＬＣＨ４、ＬＣＨ５、及びＬＣＨ６上のデータを、上りリンクリソース上にマッピングしうる。残りの上りリンクリソースが依然としてあるとき、次いで、端末は、優先度ＬＣＨ１＞ＬＣＨ２＞ＬＣＨ３に基づいて、ＬＣＨ１、ＬＣＨ２、及びＬＣＨ３上の残りの送られるべきデータを、上りリンクリソース上にマッピングする。残りの上りリンクリソースが依然としてあるとき、次いで、端末は、優先度ＬＣＨ４＞ＬＣＨ５＞ＬＣＨ６に基づいて、ＬＣＨ４、ＬＣＨ５、及びＬＣＨ６上の残りの送られるべきデータを、上りリンクリソース上にマッピングする。
【００４２】
例えば、第１の論理チャネルサブセットは、論理チャネル：ＬＣＨ１、ＬＣＨ２、及びＬＣＨ３を含み、第２の論理チャネルサブセットは、論理チャネル：ＬＣＨ４、ＬＣＨ５、及びＬＣＨ６を含む。端末はまず、ＬＣＨ１、ＬＣＨ２、及びＬＣＨ３のものであり、かつ第１の無線インターフェース技術に対応する優先度ＬＣＨ１＞ＬＣＨ２＞ＬＣＨ３及びＰＢＲに基づいて、ＬＣＨ１、ＬＣＨ２、及びＬＣＨ３上のデータを、上りリンクリソース上にマッピングする。残りの上りリンクリソースが依然としてあるとき、端末は、ＬＣＨ４のものであり、かつ第１の無線インターフェース技術に対応するＰＢＲに基づいて、予め設定されたパラメータを有する（言い換えれば、一定の高い優先度を有する）ＬＣＨ４上のデータを、上りリンクリソース上にマッピングしうる。残りの上りリンクリソースが依然としてあるとき、次いで、端末は、優先度ＬＣＨ１＞ＬＣＨ２＞ＬＣＨ３に基づいて、ＬＣＨ１、ＬＣＨ２、及びＬＣＨ３上の残りの送られるべきデータを、上りリンクリソース上にマッピングする。残りの上りリンクリソースが依然としてあるとき、次いで、端末は、ＬＣＨ５及びＬＣＨ６のものであり、かつ第１の無線インターフェース技術に対応する優先度、ならびにＬＣＨ５及びＬＣＨ６のものであり、かつ第１の無線インターフェース技術に対応するＰＢＲに基づいて、ＬＣＨ５及びＬＣＨ６上のデータを、第１の無線インターフェース技術に対応するトランスポートブロックにマッピングする。残りの上りリンクリソースが依然としてあるとき、次いで、端末は、優先度ＬＣＨ４＞ＬＣＨ５＞ＬＣＨ６に基づいて、ＬＣＨ４、ＬＣＨ５、及びＬＣＨ６上の残りの送られるべきデータを、上りリンクリソース上にマッピングする。
【００４３】
この実施形態では、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、第１の無線インターフェース技術のＴＴＩは、第２の無線インターフェース技術のＴＴＩよりも大きく、言い換えれば、第２の無線インターフェース技術に対するＬＣＨ上のデータは、レイテンシに敏感なデータである。第１の論理チャネルサブセット内の各ＬＣＨ上の送られるべきデータが、各ＬＣＨのものであり、かつ第１の無線インターフェース技術に対応する優先度及びＰＢＲに基づいて、第１の無線インターフェース技術に対応するトランスポートブロック上にマッピングされうる。第１の無線インターフェース技術に対応するトランスポートブロックを使用することによって送信されていた第１のデータが、第２の論理チャネルサブセットに対応する送られるべきデータにおいて存在し、アクセスネットワーク装置によって送られるメッセージであって第１のデータが成功裏に送信されたことを示すために使用されるメッセージが、受信されないとき、第１のデータは、第２の無線インターフェース技術に対応するトランスポートブロック上にマッピングされうる。第１のデータは、上記の実装におけるルールに従ってマッピングされたデータでありうる。送られるべきデータは、送信されていないデータ、又は受信されたＡＲＱフィードバックに基づいて送信失敗が決定された後に再送信される必要があるデータである。
【００４４】
例えば、第１の論理チャネルサブセットは論理チャネルＬＣＨ１を含み、第２の論理チャネルサブセットは論理チャネルＬＣＨ２を含む。図４は、本発明の実施形態によるデータマッピング様式の概略図である。図４に示されるように、端末によって受信された上りリンクスケジューリンググラントが、Ｔ１時点で第１の無線インターフェース技術に対応する上りリンクリソースを端末が有することを示すとき、送信されるべきデータがＬＣＨ１とＬＣＨ２の両方に存在する。端末は、上述の実施形態で開示されたマッピング様式で、Ｔ１時点で第１の無線インターフェース技術に対応する上りリンクリソース上にＬＣＨ１上のＬＣＨ１データ及びＬＣＨ２上のＬＣＨ２＿１データをマッピングしうる。図において、横線部分はＬＣＨ１上のＬＣＨ１データを表し、縦線部分はＬＣＨ２上のＬＣＨ２＿１データを表す。端末によって受信された上りリンクスケジューリンググラントが、Ｔ２時点で第２の無線インターフェース技術に対応する上りリンクリソースを端末が有することを示すとき、アクセスネットワーク装置によって送られるメッセージであってＬＣＨ２＿１データが成功裏に送信されたことを示すために使用されるメッセージが、Ｔ２時点で受信されていない場合、ＬＣＨ２＿１データは、Ｔ２時点で、第２の無線インターフェース技術に対応するトランスポートブロック上にマッピングされうる。
【００４５】
ＬＴＥ又は同様の通信システムでは、ＬＣＨ１データ、ＬＣＨ２＿１データ、及びＬＣＨ２＿２データは、ＰＤＣＰレイヤにおいて処理の後に得られたＰＤＣＰ  ＰＤＵでありうることに留意されたい。端末によってＬＣＨ２＿１データを異なるトランスポートブロック上にマッピングする挙動は、対応するＰＤＣＰ  ＰＤＵに対してセグメント化及び連結を実行して異なるＲＬＣ  ＰＤＵを得る処理として考えられうる。将来の通信システムを含む別の通信システムの場合、ＬＣＨ１データ、ＬＣＨ２＿１データ、及びＬＣＨ２＿２データは、セグメント化及び連結の前のデータである。バッファステータスレポート（Ｂｕｆｆｅｒ  Ｓｔａｔｕｓ  Ｒｅｐｏｒｔ、ＢＳＲ）を送るためにバッファサイズが計算されるとき、送信されているＬＣＨ２＿１データのサイズがＢＳＲにおいて再計算される。
【００４６】
例えば、第１の論理チャネルサブセットは論理チャネルＬＣＨ１を含み、第２の論理チャネルサブセットは論理チャネルＬＣＨ２を含む。図５は、本発明の実施形態による別のデータマッピング様式の概略図である。図５に示されるように、端末によって受信された上りリンクスケジューリンググラントが、Ｔ１時点で第１の無線インターフェース技術に対応する上りリンクリソースを端末が有することを示すとき、送信されるべきデータがＬＣＨ１とＬＣＨ２の両方に存在する。端末は、上述の実施形態で開示されたマッピング様式で、Ｔ１時点で第２の無線インターフェース技術に対応する上りリンクリソース上にＬＣＨ１上のＬＣＨ＿１データ及びＬＣＨ２上のＬＣＨ２データをマッピングしうる。端末によって受信された上りリンクスケジューリンググラントが、Ｔ２時点で第１の無線インターフェース技術に対応する上りリンクリソースを端末が有することを示すとき、ＬＣＨ１＿１データは、Ｔ２時点で、第１の無線インターフェース技術に対応するトランスポートブロック上にマッピングされる必要がない。ＬＣＨ１は、レイテンシに敏感でないサービスに対するものである。ＬＣＨ１＿１データが送信されるのに成功又は失敗したことを示すために使用されるメッセージが受信される前に、ＬＣＨ１＿１データは、送信されたデータとして処理される。
【００４７】
この実施形態では、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術である。アクセスネットワーク装置によって送られるメッセージであって、第２の論理チャネルサブセット上の第２のデータが第１の無線インターフェース技術に対応するトランスポートブロック上で送信されるのに失敗したことを示すために使用されるメッセージが、第２の無線インターフェース技術に対応するトランスポートブロックが送信される前に受信されたとき、第２のデータは、第２の無線インターフェース技術に対応するトランスポートブロック上にマッピングされる。
【００４８】
例えば、第１の論理チャネルサブセットは論理チャネルＬＣＨ１を含み、第２の論理チャネルサブセットは論理チャネルＬＣＨ２を含む。図６は、本発明の実施形態によるさらに別のデータマッピング様式の概略図である。図６に示されるように、端末によって受信された上りリンクスケジューリンググラントが、Ｔ１時点で第１の無線インターフェース技術に対応する上りリンクリソースを端末が有することを示すとき、送信されるべきデータがＬＣＨ１とＬＣＨ２の両方に存在する。端末は、上述の実施形態で開示されたマッピング様式で、Ｔ１時点で第２の無線インターフェース技術に対応する上りリンクリソース上にＬＣＨ１上のＬＣＨ＿１データ及びＬＣＨ２上のＬＣＨ２データをマッピングしうる。端末によって受信された上りリンクスケジューリンググラントが、Ｔ２時点で第１の無線インターフェース技術に対応する上りリンクリソースを端末が有することを示す前に、ＬＣＨ１＿１データが送信されるのに失敗したことを示すメッセージが受信される。従って、ＬＣＨ１＿１データは、Ｔ２時点で、第１の無線インターフェース技術に対応するトランスポートブロック上にマッピングされる必要がある。ＬＣＨ１＿２データは、ＬＣＨ１上の残りの送られるべきデータである。
【００４９】
ＬＴＥ又は同様の通信システムでは、ＬＣＨ１＿１データ、ＬＣＨ１＿２データ、及びＬＣＨ２データは、ＰＤＣＰレイヤにおいて処理の後に得られたＰＤＣＰ  ＰＤＵでありうることに留意されたい。端末によってＬＣＨ１＿１データを異なるトランスポートブロック上にマッピングする挙動は、対応するＰＤＣＰ  ＰＤＵに対してセグメント化及び連結を実行して異なるＲＬＣ  ＰＤＵを得る処理として考えられうる。将来の通信システムを含む別の通信システムの場合、ＬＣＨ１＿１データ、ＬＣＨ１＿２データ、及びＬＣＨ２データは、セグメント化及び連結の前のデータである。バッファステータスレポート（Ｂｕｆｆｅｒ  Ｓｔａｔｕｓ  Ｒｅｐｏｒｔ、ＢＳＲ）を送るためにバッファサイズが計算されるとき、送信されているＬＣＨ１＿１データのサイズがＢＳＲにおいて再計算される。
【００５０】
３０５．  端末は、第１の無線インターフェース技術に対応するトランスポートブロックを使用することによって、マッピングされたデータをアクセスネットワーク装置に送る。
【００５１】
図３に示されたリソース割り当て方法では、アクセスネットワーク装置により送られた上りリンクスケジューリンググラントが受信され、上りリンクスケジューリンググラントは、少なくとも１つの無線インターフェース技術に対応するトランスポートブロックを含み、端末の論理チャネルから論理チャネルセットが選択され、論理チャネルセット内の各論理チャネルの優先度に基づいて、各論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータが、第１の無線インターフェース技術に対応するトランスポートブロック上にマッピングされ、従って、低い優先度を有する論理チャネル上のデータが送信される可能性が増大されて、リソース割り当てバランスを改善することができる。
【００５２】
図７は、図２に示されたネットワークアーキテクチャに基づく、本発明の実施形態による端末の概略構造図である。図７に示されるように、端末は、
アクセスネットワーク装置により送られた上りリンクスケジューリンググラントを受信するように構成される受信ユニット７０１であって、上りリンクスケジューリンググラントは、少なくとも１つの無線インターフェース技術に対応するトランスポートブロックを含みうる、受信ユニット７０１と、
端末のＬＣＨから論理チャネルセットを選択するように構成される選択ユニット７０２であって、論理チャネルセットは、送られるべきデータが存在し、受信ユニット７０１により受信された第１の無線インターフェース技術に対応するＬＣＨのセットであり、第１の無線インターフェース技術は、少なくとも１つの無線インターフェース技術、又は少なくとも１つの無線インターフェース技術のうちアクセスネットワーク装置により指定された無線インターフェース技術のいずれか１つでありうる、選択ユニット７０２と、
論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングするように構成されるマッピングユニット７０３であって、論理チャネルセットは、選択ユニット７０２によって選択される、マッピングユニット７０３と
を含みうる。
【００５３】
図７に示される端末は、アクセスネットワーク装置により送られた上りリンクスケジューリンググラントを受信し、上りリンクスケジューリンググラントは、少なくとも１つの無線インターフェース技術に対応するトランスポートブロックを含み、端末の論理チャネルから論理チャネルセットを選択し、論理チャネルセット内の各論理チャネルの優先度に基づいて、各論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータを、第１の無線インターフェース技術に対応するトランスポートブロック上にマッピングし、従って、低い優先度を有する論理チャネル上のデータが送信される可能性が増大されて、リソース割り当てバランスを改善することができる。
【００５４】
図８は、図２に示されたネットワークアーキテクチャに基づく、本発明の実施形態による別の端末の概略構造図である。図８に示される端末は、図７に示された端末を最適化することによって得られる。論理チャネルセットは、第１の論理チャネルサブセット及び第２の論理チャネルサブセットを含んでよく、第１の論理チャネルサブセットの第１番の無線インターフェース技術は、第１の無線インターフェース技術であり、第２の論理チャネルサブセットの第２番の無線インターフェース技術は、第１の無線インターフェース技術である。
【００５５】
マッピングユニット７０３は、第１のマッピングサブユニット７０３１、第２のマッピングサブユニット７０３２、第３のマッピングサブユニット７０３３、及び第４のマッピングサブユニット７０３４を含みうる。
【００５６】
第１のマッピングサブユニット７０３１は、第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される。第２のマッピングサブユニット７０３２は、第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。第３のマッピングサブユニット７０３３は、第２の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される。第４のマッピングサブユニット７０３４は、第２の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。
【００５７】
或いは、第１のマッピングサブユニット７０３１は、第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される。第２のマッピングサブユニット７０３２は、第２の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される。第３のマッピングサブユニット７０３３は、第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。第４のマッピングサブユニット７０３４は、第２の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。
【００５８】
具体的には、第１のマッピングサブユニット７０３１がマッピングを実行した後、トランスポートブロックが残りの容量を依然として有するとき、第２のマッピングサブユニット７０３２がマッピングを実行するようにトリガされ、第２のマッピングサブユニット７０３２がマッピングを実行した後、トランスポートブロックが残りの容量を依然として有するとき、第３のマッピングサブユニット７０３３がマッピングを実行するようにトリガされ、第３のマッピングサブユニット７０３３がマッピングを実行した後、トランスポートブロックが残りの容量を依然として有するとき、第４のマッピングサブユニット７０３４がマッピングを実行するようにトリガされる。
【００５９】
図８に示される端末は、アクセスネットワーク装置により送られた上りリンクスケジューリンググラントを受信し、上りリンクスケジューリンググラントは、少なくとも１つの無線インターフェース技術に対応するトランスポートブロックを含み、端末の論理チャネルから論理チャネルセットを選択し、論理チャネルセット内の各論理チャネルの優先度に基づいて、各論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータを、第１の無線インターフェース技術に対応するトランスポートブロック上にマッピングし、従って、低い優先度を有する論理チャネル上のデータが送信される可能性が増大されて、リソース割り当てバランスを改善することができる。
【００６０】
図９は、図２に示されたネットワークアーキテクチャに基づく、本発明の実施形態によるさらに別の端末の概略構造図である。図９に示される端末は、図７に示された端末を最適化することによって得られる。論理チャネルセットは、第１の論理チャネルサブセット及び第２の論理チャネルサブセットを含んでよく、第１の論理チャネルサブセットの第１番の無線インターフェース技術は、第１の無線インターフェース技術であり、第２の論理チャネルサブセットの第２番の無線インターフェース技術は、第１の無線インターフェース技術である。
【００６１】
マッピングユニット７０３は、第１のマッピングサブユニット７０３１、第２のマッピングサブユニット７０３２、第３のマッピングサブユニット７０３３、第４のマッピングサブユニット７０３４、及び第５のマッピングサブユニット７０３５を含みうる。
【００６２】
第１のマッピングサブユニット７０３１は、第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される。
【００６３】
第２のマッピングサブユニット７０３２は、第１の論理チャネルグループ内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成され、第１の論理チャネルグループは、第２の論理チャネルサブセットにおける予め設定されたパラメータを有するＬＣＨのグループである。
【００６４】
第３のマッピングサブユニット７０３３は、第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。
【００６５】
第４のマッピングサブユニット７０３４は、第２の論理チャネルグループ内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成され、第２の論理チャネルグループは、第２の論理チャネルサブセットにおける第１の論理チャネルグループに含まれるＬＣＨ以外のＬＣＨのグループである。
【００６６】
第５のマッピングサブユニット７０３５は、第２の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングするように構成される。
【００６７】
具体的には、第１のマッピングサブユニット７０３１がマッピングを実行した後、トランスポートブロックが残りの容量を依然として有するとき、第２のマッピングサブユニット７０３２がマッピングを実行するようにトリガされ、第２のマッピングサブユニット７０３２がマッピングを実行した後、トランスポートブロックが残りの容量を依然として有するとき、第３のマッピングサブユニット７０３３がマッピングを実行するようにトリガされ、第３のマッピングサブユニット７０３３がマッピングを実行した後、トランスポートブロックが残りの容量を依然として有するとき、第４のマッピングサブユニット７０３４がマッピングを実行するようにトリガされ第４のマッピングサブユニット７０３４がマッピングを実行した後、トランスポートブロックが残りの容量を依然として有するとき、第５のマッピングサブユニット７０３５がマッピングを実行するようにトリガされる。
【００６８】
図９に示される端末は、アクセスネットワーク装置により送られた上りリンクスケジューリンググラントを受信し、上りリンクスケジューリンググラントは、少なくとも１つの無線インターフェース技術に対応するトランスポートブロックを含み、端末の論理チャネルから論理チャネルセットを選択し、論理チャネルセット内の各論理チャネルの優先度に基づいて、各論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータを、第１の無線インターフェース技術に対応するトランスポートブロック上にマッピングし、従って、低い優先度を有する論理チャネル上のデータが送信される可能性が増大されて、リソース割り当てバランスを改善することができる。
【００６９】
図１０は、図２に示されたネットワークアーキテクチャに基づく、本発明の実施形態によるさらに別の端末の概略構造図である。図１０に示される端末は、図７に示された端末を最適化することによって得られる。論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第１の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、第１の無線インターフェース技術のＴＴＩは、第２の無線インターフェース技術のＴＴＩよりも大きい。
【００７０】
マッピングユニット７０３は、
第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングするように構成される第１のマッピングサブユニット７０３１と、
第１の無線インターフェース技術に対応するマッピング対象のトランスポートブロックに対する第１のマッピングサブユニット７０３１によるマッピングを介して送信されていた第１のデータが、第２の論理チャネルサブセットに対応する送られるべきデータにおいて存在し、アクセスネットワーク装置によって送られるメッセージであって第１のデータが成功裏に送信されたことを示すために使用されるメッセージが、受信されないとき、第１のデータを、第２の無線インターフェース技術に対応するトランスポートブロック上にマッピングするように構成される第２のマッピングサブユニット７０３２と
を含みうる。
【００７１】
可能な実装において、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、
マッピングユニット７０３は、アクセスネットワーク装置によって送られるメッセージであって、第２の論理チャネルサブセット上の第２のデータが第１の無線インターフェース技術に対応するトランスポートブロック上で送信されるのに失敗したことを示すために使用されるメッセージが、第２の無線インターフェース技術に対応するトランスポートブロックが送信される前に受信されたとき、第２のデータを、第２の無線インターフェース技術に対応するトランスポートブロック上にマッピングするように特に構成される。
【００７２】
図１０に示される端末は、アクセスネットワーク装置により送られた上りリンクスケジューリンググラントを受信し、上りリンクスケジューリンググラントは、少なくとも１つの無線インターフェース技術に対応するトランスポートブロックを含み、端末の論理チャネルから論理チャネルセットを選択し、論理チャネルセット内の各論理チャネルの優先度に基づいて、各論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータを、第１の無線インターフェース技術に対応するトランスポートブロック上にマッピングし、従って、低い優先度を有する論理チャネル上のデータが送信される可能性が増大されて、リソース割り当てバランスを改善することができる。
【００７３】
図１１は、図２に示されたネットワークアーキテクチャに基づく、本発明の実施形態によるさらに別の端末の概略構造図である。図１１に示されるように、端末は、プロセッサ１１０１、メモリ１１０２、トランシーバ１１０３、及びバス１１０４を含みうる。プロセッサ１１０１は、汎用中央処理装置（ＣＰＵ）、複数のＣＰＵ、マイクロプロセッサ、特定用途向け集積回路（ａｐｐｌｉｃａｔｉｏｎ−ｓｐｅｃｉｆｉｃ  ｉｎｔｅｇｒａｔｅｄ  ｃｉｒｃｕｉｔ、ＡＳＩＣ）、又は本発明の解決策のプログラム実行を制御するように構成される１つ又は複数の集積回路でありうる。メモリ１１０２は、以下に限定されないが、読み取り専用メモリ（ｒｅａｄ−ｏｎｌｙ  ｍｅｍｏｒｙ、ＲＯＭ）若しくは静的情報及び命令を記憶する能力がある他のタイプの静的ストレージデバイス、ランダムアクセスメモリ（ｒａｎｄｏｍ  ａｃｃｅｓｓ  ｍｅｍｏｒｙ、ＲＡＭ）若しくは情報及び命令を記憶する能力がある他のタイプの動的ストレージデバイス、電気的消去可能プログラマブル読み取り専用メモリ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ、ＥＥＰＲＯＭ）、コンパクトディスク読み取り専用メモリ（Ｃｏｍｐａｃｔ  Ｄｉｓｃ  Ｒｅａｄ−Ｏｎｌｙ  Ｍｅｍｏｒｙ、ＣＤ−ＲＯＭ）若しくは他のコンパクトディスクストレージ、光ディスクストレージ（コンパクトディスク、レーザディスク、光ディスク、デジタル多用途ディスク、Ｂｌｕ−ｒａｙディスクなどを含む）、磁気ディスク記憶媒体若しくは他の磁気ストレージデバイス、又は、期待されるプログラムコードを命令若しくはデータ構造形態で搬送若しくは記憶するために使用されることが可能であり、コンピュータによってアクセスされることが可能な他の任意の媒体でありうる。メモリ１１０２は、独立して存在しうる。バス１１０４は、プロセッサ１１０１に接続される。メモリ１１０２は、或いはプロセッサ１１０１に一体化されてよい。トランシーバ１１０３は、別のデバイス又は通信ネットワーク、例えば、イーサネット、無線アクセスネットワーク（ＲＡＮ）、若しくはワイヤレスローカルエリアネットワーク（Ｗｉｒｅｌｅｓｓ  Ｌｏｃａｌ  Ａｒｅａ  Ｎｅｔｗｏｒｋｓ、ＷＬＡＮ）などに接続される。バス１１０４は、上記のコンポーネントの間で情報を転送するためのチャネルを含みうる。
【００７４】
トランシーバ１１０３は、アクセスネットワーク装置により送られた上りリンクスケジューリンググラントを受信するように構成され、上りリンクスケジューリンググラントは、少なくとも１つの無線インターフェース技術に対応するトランスポートブロックを含む。
【００７５】
メモリ１１０２は、プログラムコードのセットを記憶し、プロセッサ１１０１は、メモリ１１０２に記憶されたプログラムコードを呼び出して、以下の動作を実行する、すなわち、
端末のＬＣＨから論理チャネルセットを選択し、論理チャネルセットは、送られるべきデータが存在し第１の無線インターフェース技術に対応するＬＣＨのセットであり、第１の無線インターフェース技術は、少なくとも１つの無線インターフェース技術、又は少なくとも１つの無線インターフェース技術のうちアクセスネットワーク装置により指定された無線インターフェース技術のいずれか１つであり、
論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングするように構成される。
【００７６】
可能な実装において、論理チャネルセットは、第１の論理チャネルサブセット及び第２の論理チャネルサブセットを含んでよく、第１の論理チャネルサブセットの第１番の無線インターフェース技術は、第１の無線インターフェース技術であり、第２の論理チャネルサブセットの第２番の無線インターフェース技術は、第１の無線インターフェース技術であり、
プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングすることを含む。
【００７７】
可能な実装において、プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングし、
第２の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングすることをさらに含む。
【００７８】
可能な実装において、プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第２の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングし、
第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングすることをさらに含む。
【００７９】
可能な実装において、プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第１の論理チャネルグループ内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングし、第１の論理チャネルグループは、第２の論理チャネルサブセットにおける予め設定されたパラメータを有するＬＣＨのグループであり、
第１の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングし、
第２の論理チャネルグループ内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングし、第２の論理チャネルグループは、第２の論理チャネルサブセットにおける第１の論理チャネルグループに含まれるＬＣＨ以外のＬＣＨのグループであることをさらに含む。
【００８０】
可能な実装において、プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第２の論理チャネルサブセット内で残りの送られるべきデータが存在する各ＬＣＨのものであり、かつ第１の無線インターフェース技術に対応する優先度に基づいて、各ＬＣＨ上の残りの送られるべきデータを、第１の無線インターフェース技術に対応するトランスポートブロック上にマッピングすることをさらに含む。
【００８１】
可能な実装において、論理チャネルセットは、第１の論理チャネルサブセット及び第２の論理チャネルサブセットを含み、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、第１の無線インターフェース技術のＴＴＩは、第２の無線インターフェース技術のＴＴＩよりも大きく、
プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
第１の論理チャネルサブセット内の各ＬＣＨのものであり、かつ第１の無線インターフェース技術に対応する優先度及びＰＢＲに基づいて、各ＬＣＨ上の送られるべきデータを、第１の無線インターフェース技術に対応するトランスポートブロック上にマッピングし、
第１の無線インターフェース技術に対応するトランスポートブロックを使用することによって送信されていた第１のデータが、第２の論理チャネルサブセットに対応する送られるべきデータにおいて存在し、アクセスネットワーク装置によって送られるメッセージであって第１のデータが成功裏に送信されたことを示すために使用されるメッセージが、受信されないとき、第１のデータを、第２の無線インターフェース技術に対応するトランスポートブロック上にマッピングすることを含む。
【００８２】
可能な実装において、論理チャネルセットは、第１の論理チャネルサブセット及び第２の論理チャネルサブセットを含んでよく、第１の論理チャネルサブセット内の各ＬＣＨの第１番の無線インターフェース技術は、第１の無線インターフェース技術であり、第１の論理チャネルサブセット内の各ＬＣＨの第２番の無線インターフェース技術は、第２の無線インターフェース技術であり、第２の論理チャネルサブセット内の各ＬＣＨの第１番の無線インターフェース技術は、第２の無線インターフェース技術であり、第２の論理チャネルサブセット内の各ＬＣＨの第２番の無線インターフェース技術は、第１の無線インターフェース技術であり、
プロセッサ１１０１によって、論理チャネルセット内の各ＬＣＨのものであり、かつ第１の無線インターフェース技術に対応する優先度及びＰＢＲに基づいて、論理チャネルセットに対応する送られるべきデータを、第１の無線インターフェース技術に対応するトランスポートブロック上にマッピングすることは、
アクセスネットワーク装置によって送られるメッセージであって、第２の論理チャネルサブセット上の第２のデータが第１の無線インターフェース技術に対応するトランスポートブロック上で送信されるのに失敗したことを示すために使用されるメッセージが、第２の無線インターフェース技術に対応するトランスポートブロックが送信される前に受信されたとき、第２のデータを、第２の無線インターフェース技術に対応するトランスポートブロック上にマッピングすることを含む。
【００８３】
ステップ３０３及び３０４は、端末内のプロセッサ１１０１によって、メモリ１１０２に記憶されたプログラムコードを呼び出すことにより実行されてよく、ステップ３０１及び３０２ならびにステップ３０５は、端末内のトランシーバ１１０３によって実行されてよい。
【００８４】
受信ユニット７０１は、端末内のトランシーバ１１０３によって実装されてよく、選択ユニット７０２及びマッピングユニット７０３は、端末内のプロセッサ１１０１及びメモリ１１０２によって実装されてよい。
【００８５】
図１１に示される端末は、アクセスネットワーク装置により送られた上りリンクスケジューリンググラントを受信し、上りリンクスケジューリンググラントは、少なくとも１つの無線インターフェース技術に対応するトランスポートブロックを含み、端末の論理チャネルから論理チャネルセットを選択し、論理チャネルセット内の各論理チャネルの優先度に基づいて、論理チャネル上のすべての送られるべきデータを、第１の無線インターフェース技術に対応するトランスポートブロック上に順次マッピングする代わりに、論理チャネルセット内の各論理チャネルの第１の無線インターフェース技術に対応する優先度及び優先されたビットレートに基づいて、論理チャネルセットに対応する送られるべきデータを、第１の無線インターフェース技術に対応するトランスポートブロック上にマッピングし、従って、低い優先度を有する論理チャネル上のデータが送信される可能性が増大されて、リソース割り当てバランスを改善することができる。
【００８６】
本発明の実施形態は、可読記憶媒体をさらに開示する。可読記憶媒体は、図３に示されたリソース割り当て方法を実行するために端末によって使用されるプログラムコードを記憶する。
【００８７】
当業者は、実施形態における方法のステップの全部又は一部が関連するハードウェアに命令するプログラムによって実装されてよいことを理解しうる。プログラムは、コンピュータ可読記憶媒体に記憶されうる。記憶媒体は、フラッシュメモリ、読み取り専用メモリ（ｒｅａｄ−ｏｎｌｙ  ｍｅｍｏｒｙ、ＲＯＭ）、ランダムアクセスメモリ（ｒａｎｄｏｍ  ａｃｃｅｓｓ  ｍｅｍｏｒｙ、ＲＡＭ）、磁気ディスク、又は光ディスクなどを含みうる。
【００８８】
本発明は実施形態を参照して説明されているが、保護を請求する本発明を実装する際、当業者は、添付の図面、開示された内容、及び添付の特許請求の範囲を見ることによって、開示された実施形態の他の変形例を理解し実装しうる。特許請求の範囲において、「備える」又は「含む」（ｃｏｍｐｒｉｓｉｎｇ）は他の要素又は他のステップを排除せず、単数形（ａ／ａｎ）又は「１つ」は「複数」を排除しない。単一のプロセッサ又は他の単一のユニットは、特許請求の範囲に挙げられた機能を実装しうる。いくつかの手段が互いに異なる従属請求項に記載されているが、これは、より良い効果を得るためにこれらの手段が組み合わされるのが不可能であることを意味しない。
【００８９】
本発明の実施形態に開示されるリソース割り当て方法及び端末は、上記に詳細に説明されている。本発明の原理及び実装は、特定の例を使用することによって本明細書に説明されている。本発明の実施形態に関する説明は、本発明の方法及び中核的着想の理解を助けるために提供されているに過ぎない。さらに、当業者は、本発明の着想に従って特定の実装及び適用範囲に関して本発明に変形を加えることができる。従って、本明細書の内容は本発明の限定として解釈されるべきではない。
【図１】
2020504476.tif 000003
【図２】
2020504476.tif 000004
【図３】
2020504476.tif 000005
【図４】
2020504476.tif 000006
【図５】
2020504476.tif 000007
【図６】
2020504476.tif 000008
【図７】
2020504476.tif 000009
【図８】
2020504476.tif 000010
【図９】
2020504476.tif 000011
【図１０】
2020504476.tif 000012
【図１１】
2020504476.tif 000013
【手続補正書】
【提出日】令和1年6月25日(2019.6.25)
【手続補正１】
【補正対象書類名】特許請求の範囲
【補正対象項目名】全文
【補正方法】変更
【補正の内容】
【特許請求の範囲】
【請求項１】
リソース割り当て方法であって、前記方法は、端末に適用され、
アクセスネットワーク装置からの上りリンクスケジューリンググラントを受信するステップであって、前記上りリンクスケジューリンググラントは、第１の無線インターフェース技術に対応する上りリンクリソースを示す、ステップと、
前記端末の論理チャネルから論理チャネルセットを選択するステップであって、前記論理チャネルセットは、送られるべきデータが存在し前記第１の無線インターフェース技術に対応する論理チャネルのセットであり、前記論理チャネルの１つは、少なくとも１つの無線インターフェース技術にマッピングされ、前記第１の無線インターフェース技術は、少なくとも１つの無線インターフェース技術のうちの１つ、又は前記少なくとも１つの無線インターフェース技術のうち前記アクセスネットワーク装置により指定された無線インターフェース技術である、ステップと、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応する前記上りリンクリソース上にマッピングするステップと
を含む
リソース割り当て方法。
【請求項２】
前記論理チャネルセットは、第１の論理チャネルサブセット及び第２の論理チャネルサブセットを含み、前記第１の論理チャネルサブセットの第１番の無線インターフェース技術は、前記第１の無線インターフェース技術であり、前記第２の論理チャネルサブセットの第２番の無線インターフェース技術は、前記第１の無線インターフェース技術であり、
前記論理チャネルセットに対応する前記送られるべきデータを、前記第１の無線インターフェース技術に対応する前記上りリンクリソース上にマッピングする前記ステップは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップを含む
請求項１に記載の方法。
【請求項３】
前記論理チャネルセットに対応する前記送られるべきデータを、前記第１の無線インターフェース技術に対応する前記上りリンクリソース上にマッピングする前記ステップは、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするステップと、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップと
をさらに含む
請求項２に記載の方法。
【請求項４】
前記論理チャネルセットに対応する前記送られるべきデータを、前記第１の無線インターフェース技術に対応する前記上りリンクリソース上にマッピングする前記ステップは、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップと
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするステップと、
をさらに含む
請求項２に記載の方法。
【請求項５】
前記論理チャネルセットに対応する前記送られるべきデータを、前記第１の無線インターフェース技術に対応する前記上りリンクリソース上にマッピングする前記ステップは、
第１の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップであって、前記第１の論理チャネルグループは、前記第２の論理チャネルサブセットにおける予め設定されたパラメータを有する論理チャネルのグループである、ステップと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするステップと、
第２の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップであって、前記第２の論理チャネルグループは、前記第２の論理チャネルサブセットにおける前記第１の論理チャネルグループに含まれる前記論理チャネル以外の論理チャネルのグループである、ステップと
をさらに含む
請求項２に記載の方法。
【請求項６】
前記論理チャネルセットに対応する前記送られるべきデータを、前記第１の無線インターフェース技術に対応する前記上りリンクリソース上にマッピングする前記ステップは、
前記第２の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするステップをさらに含む
請求項３〜５のいずれか一項に記載の方法。
【請求項７】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、前記第１の無線インターフェース技術の送信時間間隔は、前記第２の無線インターフェース技術の送信時間間隔よりも大きく、
前記論理チャネルセットに対応する前記送られるべきデータを、前記第１の無線インターフェース技術に対応する前記上りリンクリソース上にマッピングする前記ステップは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするステップと、
前記第１の無線インターフェース技術に対応する前記上りリンクリソースを使用することによって送信されていた第１のデータが、前記第２の論理チャネルサブセットに対応する送られるべきデータにおいて存在し、前記アクセスネットワーク装置によって送られるメッセージであって前記第１のデータが成功裏に送信されたことを示すために使用されるメッセージが受信されないとき、前記第１のデータを、前記第２の無線インターフェース技術に対応する上りリンクリソース上にマッピングするステップと
を含む
請求項１に記載の方法。
【請求項８】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、
前記論理チャネルセットに対応する前記送られるべきデータを、前記第１の無線インターフェース技術に対応する前記上りリンクリソース上にマッピングする前記ステップは、
前記アクセスネットワーク装置によって送られるメッセージであって、前記第２の論理チャネルサブセット上の第２のデータが前記第１の無線インターフェース技術に対応する前記上りリンクリソース上で送信されるのに失敗したことを示すために使用されるメッセージが、前記第２の無線インターフェース技術に対応する上りリンクリソースが送信される前に受信されたとき、前記第２のデータを、前記第２の無線インターフェース技術に対応する前記上りリンクリソース上にマッピングするステップを含む
請求項１に記載の方法。
【請求項９】
端末であって、
アクセスネットワーク装置からの上りリンクスケジューリンググラントを受信するように構成される受信ユニットであって、前記上りリンクスケジューリンググラントは、第１の無線インターフェース技術に対応する上りリンクリソースを示す、受信ユニットと、
前記端末の論理チャネルから論理チャネルセットを選択するように構成される選択ユニットであって、前記論理チャネルセットは、送られるべきデータが存在し前記第１の無線インターフェース技術に対応する論理チャネルのセットであり、前記論理チャネルの１つは、少なくとも１つの無線インターフェース技術にマッピングされ、前記第１の無線インターフェース技術は、少なくとも１つの無線インターフェース技術のうちの１つ、又は前記少なくとも１つの無線インターフェース技術のうち前記アクセスネットワーク装置により指定された無線インターフェース技術である、選択ユニットと、
前記論理チャネルセット内の各論理チャネルのものであり、かつ前記第１の無線インターフェース技術に対応する優先度及び優先されたビットレートに基づいて、前記論理チャネルセットに対応する送られるべきデータを、前記第１の無線インターフェース技術に対応する前記上りリンクリソース上にマッピングするように構成されるマッピングユニットと
を備える
端末。
【請求項１０】
前記論理チャネルセットは、第１の論理チャネルサブセット及び第２の論理チャネルサブセットを含み、前記第１の論理チャネルサブセットの第１番の無線インターフェース技術は、前記第１の無線インターフェース技術であり、前記第２の論理チャネルサブセットの第２番の無線インターフェース技術は、前記第１の無線インターフェース技術であり、
前記マッピングユニットは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第１のマッピングサブユニットを備える
請求項９に記載の端末。
【請求項１１】
前記マッピングユニットは、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするように構成される第２のマッピングサブユニットと、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第３のマッピングサブユニットと
をさらに備える
請求項１０に記載の端末。
【請求項１２】
前記マッピングユニットは、
前記第２の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第４のマッピングサブユニットと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするように構成される第５のマッピングサブユニットと
をさらに備える
請求項１０に記載の端末。
【請求項１３】
前記マッピングユニットは、
第１の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第６のマッピングサブユニットであって、前記第１の論理チャネルグループは、前記第２の論理チャネルサブセットにおける予め設定されたパラメータを有する論理チャネルのグループである、第６のマッピングサブユニットと、
前記第１の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングするように構成される第７のマッピングサブユニットと、
第２の論理チャネルグループ内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第８のマッピングサブユニットであって、前記第２の論理チャネルグループは、前記第２の論理チャネルサブセットにおける前記第１の論理チャネルグループに含まれる前記論理チャネル以外の論理チャネルのグループである、第８のマッピングサブユニットと
をさらに備える
請求項１０に記載の端末。
【請求項１４】
前記マッピングユニットは、
前記第２の論理チャネルサブセット内で残りの送られるべきデータが存在する各論理チャネルのものであり、かつ前記第１の無線インターフェース技術に対応する優先度に基づいて、前記各論理チャネル上の前記残りの送られるべきデータを、前記第１の無線インターフェース技術に対応する前記上りリンクリソース上にマッピングする第９のマッピングサブユニットをさらに備える
請求項１１〜１３のいずれか一項に記載の端末。
【請求項１５】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、前記第１の無線インターフェース技術の送信時間間隔は、前記第２の無線インターフェース技術の送信時間間隔よりも大きく、
前記マッピングユニットは、
前記第１の論理チャネルサブセット内の各論理チャネルのものであり、かつ前記第１の無線インターフェース技術に対応する優先度及び優先されたビットレートに基づいて、前記各論理チャネル上の送られるべきデータを、前記第１の無線インターフェース技術に対応する前記上りリンクリソース上にマッピングするように構成される第１０のマッピングサブユニットと、
前記第１の無線インターフェース技術に対応する前記上りリンクリソースを使用することによって送信されていた第１のデータが、前記第２の論理チャネルサブセットに対応する送られるべきデータにおいて存在し、前記アクセスネットワーク装置によって送られるメッセージであって前記第１のデータが成功裏に送信されたことを示すために使用されるメッセージが受信されないとき、前記第１のデータを、前記第２の無線インターフェース技術に対応する上りリンクリソース上にマッピングするように構成される第１１のマッピングサブユニットと
を備える
請求項９に記載の端末。
【請求項１６】
前記論理チャネルセットは、第１の論理チャネルサブセット及び第２の論理チャネルサブセットを含み、前記第１の論理チャネルサブセット内の各論理チャネルの第１番の無線インターフェース技術は、前記第１の無線インターフェース技術であり、前記第１の論理チャネルサブセット内の各論理チャネルの第２番の無線インターフェース技術は、第２の無線インターフェース技術であり、前記第２の論理チャネルサブセット内の各論理チャネルの第１番の無線インターフェース技術は、前記第２の無線インターフェース技術であり、前記第２の論理チャネルサブセット内の各論理チャネルの第２番の無線インターフェース技術は、前記第１の無線インターフェース技術であり、
前記マッピングユニットは、前記アクセスネットワーク装置によって送られるメッセージであって、前記第２の論理チャネルサブセット上の第２のデータが前記第１の無線インターフェース技術に対応する前記上りリンクリソース上で送信されるのに失敗したことを示すために使用されるメッセージが、前記第２の無線インターフェース技術に対応する上りリンクリソースが送信される前に受信されたとき、前記第２のデータを、前記第２の無線インターフェース技術に対応する前記上りリンクリソース上にマッピングするように構成される
請求項９に記載の端末。
【請求項１７】
実行可能な命令を格納する非一時的なストレージ媒体に接続された１つ又は複数のプロセッサを備える装置であって、前記実行可能な命令は、前記１つ又は複数のプロセッサによって実行されたときに、前記装置に、請求項１〜８のいずれか１項に記載の前記方法の動作を実行させる、装置。
【請求項１８】
データを配置するための少なくとも１つのコード部分を含むコンピュータプログラムがその上に格納されているコンピュータ読み取り可能な媒体であって、前記少なくとも１つのコード部分は、装置によって実行可能であり、また、実行されたときに、前記装置に、請求項１〜８のいずれか１項に記載の前記方法の動作を実行させる、媒体。
【請求項１９】
請求項９〜１６のいずれか１項に記載の前記端末と、前記端末と通信されるアクセスネットワーク装置とを含む、システム。
【手続補正３】
【補正対象書類名】明細書
【補正対象項目名】００２８
【補正方法】変更
【補正の内容】
【００２８】
本発明の実施形態で開示されるリソース割り当て方法及び端末のより良い理解のために、本発明の実施形態で使用されるネットワークアーキテクチャがまず下記に説明される。図２は、本発明の実施形態によるネットワークアーキテクチャの概略図である。図２に示されるように、ネットワークアーキテクチャは、少なくとも１つの無線アクセスネットワーク装置２０１及び端末２０２を含みうる。端末２０２は、無線アクセスネットワーク装置２０１により提供される少なくとも１つのセル（ｃａｒｒｉｅｒ）のカバレッジエリア内に配置される。端末２０２が、無線アクセスネットワーク装置２０１により提供される少なくとも２つのセル（ｃａｒｒｉｅｒ）のカバレッジエリア内に配置されたとき、言い換えれば、複数のセルが端末２０２にサービスするとき、端末２０２は、ＣＡ、ＤＣ、又は協調マルチポイント送信／受信（Ｃｏｏｒｄｉｎａｔｅｄ  Ｍｕｌｔｉｐｌｅ  Ｐｏｉｎｔ  ｔｒａｎｓｍｉｓｓｉｏｎ、ＣｏＭＰ）様式で動作しうる。少なくとも１つのセルは、少なくとも１つの無線インターフェース技術を提供し、各無線インターフェース技術が端末２０２に対する無線リソースを提供する。端末２０２は、無線リソース要求を無線アクセスネットワーク装置２０１に送るように構成される。無線アクセスネットワーク装置２０１は、上りリンクスケジューリンググラントを端末２０２に送るように構成される。端末２０２は、無線アクセスネットワーク装置２０１により割り当てられた無線リソースに基づいて、無線アクセスネットワーク装置２０１にデータを送信するようにさらに構成される。無線アクセスネットワーク装置２０１は、基地局、進化型ＮｏｄｅＢ（Ｅｖｏｌｖｅｄ  ＮｏｄｅＢ、ｅＮＢ）、又はアクセスポイント（Ａｃｃｅｓｓ  Ｐｏｉｎｔ、ＡＰ）などであってよい。端末２０２は、モバイル端末、又はネットワークアクセス機能を有するセンサなどであってよい。本発明は、ユニバーサル移動体通信システム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ、ＵＭＴＳ）、ＣＤＭＡシステムワイヤレスローカルエリアネットワーク（Ｗｉｒｅｌｅｓｓ  Ｌｏｃａｌ  Ａｒｅａ  Ｎｅｔｗｏｒｋ、ＷＬＡＮ）、又は将来の５Ｇ（ｔｈｅ  ｆｉｆｔｈ  ｇｅｎｅｒａｔｉｏｎ）ワイヤレス通信システムなどにも適用可能である。
【国際調査報告】
2020504476.tif 000014
2020504476.tif 000015
2020504476.tif 000016
2020504476.tif 000017
2020504476.tif 000018